(57)【要約】【課題】既存の単体指輪に対する汎用性を備えつつこれと組合わせて使用し、かつ、宝玉を備えた単体指輪が指に対し回転し位置ずれしてしまうのを阻止する指輪を提供すること。【解決手段】略平行に向き合った一対の指輪状環状体に少なくとも一の連結部材を架設して該環状体を連結し、この連結環状体の間に挿脱自在に挿入された単体指輪が備える宝玉類の台座部を前記連結部材が保持して該単体指輪が回転しないようにしたこと。【選択図】図５
0003128998.tif 000002
【実用新案登録請求の範囲】
【請求項１】
略平行に向き合った一対の指輪状環状体に少なくとも一の連結部材を架設して該環状体を連結し、この連結環状体の間に挿脱自在に挿入された単体指輪が備える宝玉類の台座部を前記連結部材が保持して該単体指輪が回転しないようにしたことを特徴とする指輪。
【請求項２】
連結部材は前記台座部の形状に沿うよう正面視略横向きＶ字型乃至アーチ型に形成された請求項１の指輪。
【請求項３】
連結部材に宝玉類等による装飾を施した請求項１又は２の指輪。
【考案の詳細な説明】
【技術分野】
【０００１】
本考案は、単体指輪と組合せて使用する指輪に関するものであり、特に、宝玉類を備えた単体指輪が回転して位置ずれを起こしてしまうのを防止すると共に、全体としても新たな美観を生ずる指輪に関するものである。
【背景技術】
【０００２】
複数の指輪を組合わせてなるこの種の技術としては、以下に列挙するような従来技術が既に存在している。
【特許文献１】特開２００５−２５３６６６号公報
【特許文献２】特開平７−１３６００９号公報
【特許文献３】登録実用新案第３０１２５４４号公報
【０００３】
然しながら、上記特許文献１又は特許文献２に記載された技術は、組合わせる複数の指輪の形態がピッタリと一致して対応する関係にあることを要求しているため、既存の単体指輪に対する汎用性はまったくないといえる。
【０００４】
また、指輪のサイズは主にユーザの指の関節の大きさによって決められるものであるところ、加齢や体調に応じて指の根元が細くなると、該指に対して緩くなってしまった昔の指輪がこれに備えられた宝玉の重さによって手の小指側、或いは、親指側に回転し位置ずれを起こして、美観を大きく損ねることがある。この点については、特許文献１乃至特許文献３のいずれの技術も解決する術を備えておらず、未だ問題を残している。
【考案の開示】
【考案が解決しようとする課題】
【０００５】
本考案は上記のような事情に鑑み、既存の単体指輪に対する汎用性を備えつつこれと組合わせて使用し、かつ、宝玉を備えた単体指輪が指に対して回転し位置ずれしてしまうのを阻止する指輪を提供することを課題とする。
【課題を解決するための手段】
【０００６】
上記の課題を解決することを目的としてなされた本考案指輪の構成は、略平行に向き合った一対の指輪状環状体に少なくとも一の連結部材を架設して該環状体を連結し、この連結環状体の間に挿脱自在に挿入された単体指輪が備える宝玉類の台座部を前記連結部材が保持して該単体指輪が回転しないようにしたことを特徴とするものである。
【０００７】
また本考案は、連結部材を前記台座部の形状に沿うよう正面視略横向きＶ字型乃至アーチ型に形成して構成してもよく、さらに、連結部材には宝玉類等による装飾を施すことができる。
【考案の効果】
【０００８】
本考案は、一対の指輪状環状体に架設された連結部材が、宝玉類の重さによって回転しようとする単体指輪の宝玉台座部と干渉してその回転を阻止する。また、この連結部材に宝玉類を付することによって、単体指輪と組合せて使用したとき新たな美観を生ずる。この結果、宝玉類を備えた単体指輪が回転して位置ずれを起こし大きく美観を損ねてしまうといった事態を完全に回避できる。
【考案を実施するための最良の形態】
【０００９】
次に、本考案の実施の形態例について、図に拠り説明する。図１は本考案指輪の一例の正面図、図２は本考案指輪の一例の右側面図、図３は本考案指輪の一例の背面図、図４は本考案指輪に単体指輪を挿入した状態の斜視図、図５は本考案指輪と単体指輪とを組合せた使用態様の一例を示した斜視図である。
【００１０】
通常、比較的重量を有する大きな宝玉４を備えた単体指輪３を嵌めると、該宝玉４の重さで単体指輪３が位置ずれを起こしてしまう。これによって不具合を有していたことは既に述べた通りである。そこで、本考案の指輪は上記連結部材２を備えることによってかかる不具合を解消したので、この点について以下に説明する。
【００１１】
図１において、１は金属等による通常の指輪材からなる一対の指輪状環状体である。２はこの環状体１の正面部に架設された連結部材であって環状体１と同様の材質からなり、溶接、鑞付、接着、係合、或いは、嵌合等の手段によって、一対の環状体１を適宜間隔に保ちつつ略平行な状態に連結固定している。連結部材２は複数架設してもよく、本実施例においても一対の環状体１の背面部側に２本の連結部材２２を加えて架設してある。連結部材２は単体指輪３の宝玉台座部５を安定的に保持して、該単体指輪３が親指ｔ側から小指ｌ側へ回転してしまうのを阻止できるように、この台座部５に沿うよう正面視略横向きＶ字型乃至アーチ形状に形成している（図１及び図５を参照）。また、連結部材２は台座部５の右側に位置させれば、小指ｌ側から親指ｔ側への単体指輪３の回転を阻止できる。なお、図１では紙面に対し垂直上方を正面、垂直下方を背面として記述している。
【００１２】
一対の環状体１と連結部材２により確保される間隔には、既存の単体指輪３を挿脱自在に挿入できるよう適度な余裕を持たせて設計される（図４を参照）。これにより、本考案指輪から単体指輪３を抜き取り他の単体指輪３を挿入することで、簡便に全体の雰囲気を変え複数バリエーションの装飾を楽しむことができる。
【００１３】
また、連結部材２に図示しない宝玉等を配して装飾を施せば、単体指輪３と併せて新たな美観を生ずることができる。これによって、エメラルドやオパールなど比較的耐熱性に乏しい宝玉類を備えたリフォームの困難な指輪や、お形見のリングのように形状を保持しておきたい指輪に対しても、新規に指輪を購入することなく既に所有している指輪に後付けすることで、加工修正をせずにその雰囲気を一変させることが可能となる。
【産業上の利用可能性】
【００１４】
本考案は以上の通りであって、一対の指輪状環状体に架設された連結部材が、宝玉類の重さによって回転しようとする単体指輪の宝玉台座部と干渉してその回転を阻止し、また、この連結部材に宝玉類を付することによって、単体指輪と組合せて使用したとき新たな美観を生ずるため、この結果として、宝玉類を備えた単体指輪が手の小指側乃至は親指側へ指の中心から位置ずれして大きく美観を損ねてしまうといった事態を完全に回避できるという効果を有するから、指輪に適用してきわめて好適である。
【図面の簡単な説明】
【００１５】
【図１】本考案指輪の一例の正面図
【図２】本考案指輪の一例の右側面図
【図３】本考案指輪の一例の背面図
【図４】本考案指輪に単体指輪を挿入した状態の斜視図
【図５】本考案指輪と単体指輪とを組合せた使用態様の一例を示した斜視図
【符号の説明】
【００１６】
１      指輪状環状体
２      正面部連結部材
２２    背面部連結部材
３      単体指輪
４      宝玉類
５      台座部
ｔ      親指
ｌ      小指
【図１】
0003128998.tif 000003
【図２】
0003128998.tif 000004
【図３】
0003128998.tif 000005
【図４】
0003128998.tif 000006
【図５】
0003128998.tif 000007